(57)【要約】      （修正有）【課題】送風と加湿の両機能を兼ね備え、これら機能の単独使用及び同時使用が可能な気流ファン・加湿器両用装置を提供する。【解決手段】一体的に接続される気流ファンと加湿器を含み、加湿器が気流ファンの底部に設けられており、気流ファンは、第１モータ、風路及び第１モータに接続される第１羽根を含み、加湿器は、霧化モジュール、タンク、水槽、風動装置と、噴霧口を備える第１ハウジングとを含み、タンクの底部は水槽に連通しており、霧化モジュールは水槽に接続されており、風動装置は霧化モジュールから発生した霧を噴霧口に吹き出すために用いられ、噴霧口は風路の底部に設けられるか、風路を取り囲んでいる。気流ファンと加湿器の機能を兼ね備えているため、気流ファンとしての単独使用及び加湿器としての単独使用が可能であるほか、これらを同時に使用することも可能である。【選択図】図１
0003219310.tif 000002
【実用新案登録請求の範囲】
【請求項１】
一体的に接続される気流ファン（１）と加湿器（２）を含み、前記加湿器（２）が前記気流ファン（１）の底部に設けられており、
前記気流ファン（１）は、第１モータ（１１）、風路（１２）及び前記第１モータ（１１）に接続される第１羽根（１３）を含み、
前記加湿器（２）は、霧化モジュール（２１）、タンク（２２）、水槽（２３）、風動装置（２４）と、噴霧口（２５）を備える第１ハウジング（２６）とを含み、前記タンク（２２）の底部は前記水槽（２３）に連通しており、前記霧化モジュール（２１）は前記水槽（２３）に接続されており、前記風動装置（２４）は霧化モジュール（２１）から発生した霧を前記噴霧口（２５）に吹き出すために用いられ、前記噴霧口（２５）は前記風路（１２）の底部に設けられるか、前記風路（１２）を取り囲んでいることを特徴とする気流ファン・加湿器両用装置。
【請求項２】
前記霧化モジュール（２１）は、超音波霧化モジュール、電熱霧化モジュール、電気分解霧化モジュール、或いは、分子篩蒸発モジュールのいずれかであることを特徴とする請求項１に記載の気流ファン・加湿器両用装置。
【請求項３】
前記気流ファン（１）は、外部を覆う第２ハウジング（１４）を更に含み、
前記第２ハウジング（１４）の一方の側には、前記風路（１２）の位置に対応して気流ファン（１）の送風口として用いられる開口（１５）が開設されており、
前記第２ハウジング（１４）の左右両側或いは上下両側には回転モジュールが設けられており、前記気流ファン（１）は、上下又は左右に回動可能となるよう前記回転モジュールを介して前記第２ハウジング（１４）に回動接続されることを特徴とする請求項２に記載の気流ファン・加湿器両用装置。
【請求項４】
前記第２ハウジング（１４）の後部には更に吸気グリル（１６）が設けられており、前記吸気グリル（１６）には複数の吸気メッシュ（１７）が開設されていることを特徴とする請求項３に記載の気流ファン・加湿器両用装置。
【請求項５】
前記噴霧口（２５）は、前記開口（１５）の底部に設けられるか、前記開口（１５）を取り囲んでいることを特徴とする請求項４に記載の気流ファン・加湿器両用装置。
【請求項６】
前記噴霧口（２５）が前記開口（１５）の底部に設けられる場合、前記噴霧口（２５）には更にノズル（２７）が設けられていることを特徴とする請求項５に記載の気流ファン・加湿器両用装置。
【請求項７】
前記加湿器（２）の上部には天板（２８）が設けられており、前記天板（２８）には首振り機構（２９）が固定されており、前記気流ファン（１）は前記首振り機構（２９）により上下に回動することを特徴とする請求項２に記載の気流ファン・加湿器両用装置。
【請求項８】
前記噴霧口（２５）が前記風路（１２）の底部に設けられる場合、前記噴霧口（２５）には更にノズル（２７）が設けられていることを特徴とする請求項７に記載の気流ファン・加湿器両用装置。
【請求項９】
回動可能な回転ベースを更に含み、前記気流ファン・加湿器両用装置が前記回転ベースに装着されることを特徴とする請求項３〜８のいずれかに記載の気流ファン・加湿器両用装置。
【考案の詳細な説明】
【技術分野】
【０００１】
本考案は家電の技術分野に関し、より具体的には、気流ファン・加湿器両用装置に関する。
【背景技術】
【０００２】
従来の小型家電において、扇風機は一般的に送風機能のみを備えており、加湿器機能については有していない。逆に、加湿器には空気を加湿する機能のみが備わっており、送風機能は有していない。常識として、通気か室温の低下かに拘わらず、送風と加湿を同時に行えば、半分の労力で通気或いは降温効果を倍増することが可能となる。そこで、本考案は、従来技術における上記の技術的空白を補足することを目的とする。
【考案の概要】
【考案が解決しようとする課題】
【０００３】
本考案は、送風と加湿の両機能を兼ね備え、且つ、これら機能の単独使用及び同時使用が可能な気流ファン・加湿器両用装置を提供することを解決すべき技術的課題とする。
【課題を解決するための手段】
【０００４】
本考案の技術解決方案は以下の通りである。
【０００５】
本考案は、一体的に接続される気流ファンと加湿器を含み、前記加湿器が前記気流ファンの底部に設けられており、前記気流ファンは、第１モータ、風路及び前記第１モータに接続される第１羽根を含み、前記加湿器は、霧化モジュール、タンク、水槽、風動装置と、噴霧口を備える第１ハウジングとを含み、前記タンクの底部は前記水槽に連通しており、前記霧化モジュールは前記水槽に接続されており、前記風動装置は霧化モジュールから発生した霧を前記噴霧口に吹き出すために用いられ、前記噴霧口は前記風路の底部に設けられるか、前記風路を取り囲んでいる気流ファン・加湿器両用装置を提供する。
【０００６】
更に、前記霧化モジュールは、超音波霧化モジュール、電熱霧化モジュール、電気分解霧化モジュール、或いは、分子篩蒸発モジュールのいずれかである。
【０００７】
更に、前記気流ファンは、外部を覆う第２ハウジングを更に含み、前記第２ハウジングの一方の側には、前記風路の位置に対応して気流ファンの送風口として用いられる開口が開設されており、前記第２ハウジングの左右両側或いは上下両側には回転モジュールが設けられており、前記気流ファンは、上下又は左右に回動可能となるよう前記回転モジュールを介して前記第２ハウジングに回動接続される。
【０００８】
更に、前記第２ハウジングの後部には更に吸気グリルが設けられており、前記吸気グリルには複数の吸気メッシュが開設されている。
【０００９】
更に、前記噴霧口は、前記開口の底部に設けられるか、前記開口を取り囲んでいる。
【００１０】
更に、前記噴霧口が前記開口の底部に設けられる場合、前記噴霧口には更にノズルが設けられている。
【００１１】
更に、前記加湿器の上部には天板が設けられており、前記天板には首振り機構が固定されており、前記気流ファンは前記首振り機構により上下に回動する。
【００１２】
更に、前記噴霧口が前記風路の底部に設けられる場合、前記噴霧口には更にノズルが設けられている。
【００１３】
更に、回動可能な回転ベースを更に含み、前記気流ファン・加湿器両用装置が前記回転ベースに装着される。
【考案の効果】
【００１４】
本考案における気流ファン・加湿器両用装置を実施すれば、以下の有益な効果が得られる。即ち、気流ファンと加湿器の機能を兼ね備えているため、気流ファンとしての単独使用及び加湿器としての単独使用が可能であるほか、これらを同時に使用することも可能である。これらを同時に使用する際には加湿器の霧が気流ファンから吹き出される旋風の作用を受けるため、部屋の加湿量の均一化が加速される。よって、加湿量がより増大するとともに、加湿が更に均一化されるとの効果が得られる。
【００１５】
以下に、図面と実施例を組み合わせて本考案につき更に説明する。
【図面の簡単な説明】
【００１６】
【図１】図１は、本考案における気流ファン・加湿器両用装置の断面図である。
【図２】図２は、本考案の気流ファン・加湿器両用装置における第１の噴霧口の構造を示す図である。
【図３】図３は、図２にノズルを装着した構造を示す図である。
【図４】図４は、本考案の気流ファン・加湿器両用装置における第２の噴霧口の構造を示す図である。
【図５】図５は、本考案の気流ファン・加湿器両用装置における第２の気流ファンを第１の首振り機構に装着した構造を示す図である。
【図６】図６は、図５が上方へ回動した場合の構造を示す図である。
【図７】図７は、本考案の気流ファン・加湿器両用装置における第２の気流ファンを第２の首振り機構に装着した構造を示す図である。
【図８】図８は、図７が上方へ回動した場合の構造を示す図である。
【考案を実施するための形態】
【００１７】
図１〜図８は本考案における気流ファン・加湿器両用装置の好ましい実施例を示す。当該装置は、一体的に接続される気流ファン１と加湿器２を含み、加湿器２が気流ファン１の底部に設けられている。気流ファン１は、第１モータ１１、風路１２及び第１モータ１１に接続される第１羽根１３を含む。加湿器２は、霧化モジュール２１、タンク２２、水槽２３、風動装置２４と、噴霧口２５を備える第１ハウジング２６とを含む。タンク２２の底部は水槽２３に連通しており、霧化モジュール２１は水槽２３に接続されている。風動装置２４は霧化モジュール２１から発生した霧を噴霧口２５に吹き出すために用いられ、噴霧口２５は風路１２の底部に設けられるか、風路１２を取り囲んでいる。本実施例において、気流ファン１と加湿器２はそれぞれ独立して設けられている。これらは単独で使用することも同時に使用することも可能である。気流ファン１は加湿器２の上部に位置している。加湿器２から発生した霧は気流ファン１の風路１２に排出され、気流ファン１を経由して周辺の空気中に拡散する。加湿器２の一方の側にはタンク２２が設けられている。タンク２２の底部は水槽２３に連通しており、霧化モジュール２１に水を供給する。風動装置２４は、第２モータと第２羽根を含む。第２モータによって第２羽根が煽られると、霧化モジュール２１から発生した霧が噴霧口２５から排出される。これにより、空気が水分を含んだ湿潤空気となって室内に排出され、付近の空気湿度を変化させられるため、生活環境が改善される。なお、噴霧口２５の設置方式は２種類存在する。第１の設置方式では、図１、図２及び図３に示すように、気流ファン１における風路１２の底部に設置して、霧を噴霧口２５から気流ファン１の送風経路に直接排出する。また、第２の設置方式では、図４に示すように、風路１２の全周に設けることで気流ファン１の前部を取り囲む。いずれの設置方式であっても、気流ファン１の風力を良好に利用して霧を拡散させられるため、送風しながら周囲の空気を加湿することが可能である。気流ファン１を単独で使用する場合には加湿器２は動作させず、送風により暑さを凌ぐ通常のファンとして使用する。一方、加湿器２を単独で使用する場合には気流ファン１は動作せず、通常の加湿器として使用する。また、これらを同時に使用する場合には、加湿器２から発生した霧が気流ファン１の風力を受けることで加湿量がより増大し、加湿が更に均一化されるため、使用効果がいっそう良好となる。
【００１８】
本実施例の霧化モジュール２１は、超音波霧化モジュール、電熱霧化モジュール、電気分解霧化モジュール、或いは分子篩蒸発モジュールのいずれかとする。超音波霧化モジュールでは、毎秒２００万回の超音波高周波振動で水を１〜５μｍの超微粒子と酸素負イオンに霧化する。霧は風動装置によって空気中に拡散し、加湿の均一化との効果を達成する。電熱霧化モジュールでは、水を加熱体において１００℃まで加熱することで蒸気を発生させ、風動装置により送出する。電気分解霧化モジュールでは、電解法を用いて水を加湿器で霧化する。また、分子篩蒸発モジュールでは、分子篩蒸発技術によって水を霧化する。これらの霧化モジュールはいずれも水を霧化状態とすることが可能なため、ニーズの違いに応じて異なる霧化方式を選択すればよい。
【００１９】
本実施例における気流ファン１には２種類の構造が設けられる。第１の構造は、図１〜４に示すようにハウジングを備えており、第２ハウジング１４が気流ファン１の外部を覆っている。また、第２ハウジング１４の一方の側には、風路１２の位置に対応して気流ファン１の送風口として用いられる開口１５が開設されている。更に、第２ハウジング１４の後部には吸気グリル１６が設けられている。吸気グリル１６には複数の吸気メッシュ１７が開設されており、外気を気流ファン１に導入するために用いられる。また、左右両側或いは上下両側には回転モジュールが設けられており、気流ファン１は上下又は左右に回動可能となるよう、回転モジュールを介して第２ハウジング１４に回動接続される。なお、当該回転モジュールは、ニーズに応じて送風角度が調整されるよう、手動としてもよいし自動としてもよい。回転モジュールは、中空スタッドボルト、回転ホルダ、回動部材、シリコーンパッド及びナットを含む。中空スタッドボルトをナットに挿通することで、回転ホルダ、シリコーンパッド及びナットは一体的に装着され、回動部材の回動力がシリコーンパッドの摩擦力を超えると回動可能となる。また、外力が０になると、シリコーンパッドと回動部材の間には摩擦力が存在するため、元の位置から変動しないよう保持される。これにより、気流ファン１の上下又は左右への回動を実現し、送風の方向及び角度を調節する。当該気流ファン１の構造では、噴霧口２５が開口１５の底部に設けられるか、開口１５を取り囲んでいる。噴霧口２５が開口１５の底部に設けられる場合には、更に噴霧口２５にノズル２７を設け、噴霧口２５から排出された霧をノズル２７によって気流ファン１における風力の大きな中心位置に送り込んでもよい。これにより、加湿量がより増大し、加湿速度が一層加速する。
【００２０】
気流ファン１の第２の構造では、図５〜８に示すようにハウジングが設けられておらず、気流ファン１が加湿器２の上部に装着されている。当該構造では加湿器２の上部に天板２８が設けられており、天板２８に首振り機構２９が固定されている。気流ファン１は首振り機構２９により上下に回動する。本実施例において、首振り機構２９は２種類の構造を有する。第１の構造では、図５及び図６に示すように頭部を接続し、ギヤと係合装置によって上下に揺動させる。第２の構造では、図７及び図８に示すように、気流ファン１の左右にホルダを１つずつ設け、回動軸を介してホルダに結合することで上下に揺動させて送風の方向と角度を調整する。ハウジングを備えない当該構造の気流ファン１の実施例では、噴霧口２５が風路１２の底部に設けられている。即ち、第１ハウジング２６の上部に設けられており、噴出した霧が気流ファン１の送風経路上に位置する。また、噴霧口２５には更にノズル２７が設けられており、霧を気流ファン１における風力の大きな中心位置に更に近付けることで、加湿量をより増大し、加湿速度を一層加速する。
【００２１】
本実施例では、回動可能な回転ベースを更に含み、気流ファン・加湿器両用装置が回転ベースに装着される。回転ベースは、同期モータ、クランクトレイン、上ホルダ及び底板からなり、同期モータがクランクトレインの端部に接続される上ホルダを回動させる。気流ファン・加湿器両用装置を電動回転させるべく、底部に回転ベースが設けられていることから、ユーザの使用ニーズに応じて回転させながら送風及び加湿を行うことが可能となる。よって、使用形式がより多様化する。
【００２２】
本考案における気流ファン・加湿器両用装置によれば、気流ファンと加湿器の機能を兼ね備えているため、気流ファンとしての単独使用及び加湿器としての単独使用が可能であるほか、これらを同時に使用することも可能である。これらを同時に使用する際には、加湿器の霧が気流ファンから吹き出される旋風の作用を受けるため、部屋の加湿量の均一化が加速される。よって、加湿量がより増大するとともに、加湿が更に均一化されるとの効果が得られる。
【００２３】
以上は本考案の好ましい実施例にすぎず、当業者であれば、本考案の思想に基づき、具体的実施形態及び応用の範囲において様々な変形を実施可能である。また、これらの変形は本考案の思想を逸脱しない限り、いずれも本考案の保護の範囲に属する。
【図１】
0003219310.tif 000003
【図２】
0003219310.tif 000004
【図３】
0003219310.tif 000005
【図４】
0003219310.tif 000006
【図５】
0003219310.tif 000007
【図６】
0003219310.tif 000008
【図７】
0003219310.tif 000009
【図８】
0003219310.tif 000010